(57)【特許請求の範囲】
【請求項１】
紙葉類の投入口を備えた箱体と、
前記投入口から紙葉類が投入されたことを検知する検知部と、
前記検知部が紙葉類を検知したときに作動する持ち上げ機構と、
前記持ち上げ機構によって上方に持ち上げられた後に落下する裁断片と、
を備え、
前記箱体には、前記裁断片が落下する様子を目視可能にする窓部が設けられていることを特徴とする、シュレッダー玩具。
【請求項２】
前記持ち上げ機構としてベルトコンベアを使用したことを特徴とする、請求項１記載のシュレッダー玩具。
【発明の詳細な説明】
【技術分野】
【０００１】
この発明は、紙幣などの紙葉類を投入したときにシュレッダーを模した動作を行うシュレッダー玩具に関する。
【背景技術】
【０００２】
従来、お金を投入したときに仕掛けが作動する様々な貯金箱が提案されている。例えば、特許文献１には、硬貨の入口と出口とを有して入口から押し込まれる硬貨によって出口から押し出される硬貨があるように設けられた少なくとも１枚の硬貨が滞留可能な硬貨通路と、この硬貨通路の出口が内部のほぼ中心に納められていると共に、外部から透視可能に形成されている硬貨容器とから成る貯金箱が開示されている。この貯金箱によれば、従来のように硬貨がそれ自体の重量によって貯金箱の入り口から内部に落下するものではなく、硬貨が硬貨通路から順次押し出されて納まるように見える。
【先行技術文献】
【特許文献】
【０００３】
【特許文献１】特開２０１３−２４４３９１号公報
【発明の概要】
【発明が解決しようとする課題】
【０００４】
上記したように、様々な仕掛けを備えた貯金箱が提案されているが、更にユニークな動作を行い、使用者に驚きを与える貯金箱が求められていた。
【０００５】
そこで本発明は、従来にはないユニークな動作で使用者に驚きを与えることができ、貯金箱に応用することもできるシュレッダー玩具を提供することを課題とする。
【課題を解決するための手段】
【０００６】
本発明は、上記した課題を解決するためになされたものであり、以下を特徴とする。
【０００７】
請求項１記載の発明は、紙葉類の投入口を備えた箱体と、前記投入口から紙葉類が投入されたことを検知する検知部と、前記検知部が紙葉類を検知したときに作動する持ち上げ機構と、前記持ち上げ機構によって上方に持ち上げられた後に落下する裁断片と、を備え、前記箱体には、前記裁断片が落下する様子を目視可能にする窓部が設けられていることを特徴とする。
【０００８】
請求項２に記載の発明は、上記した請求項１に記載の発明の特徴点に加え、前記持ち上げ機構としてベルトコンベアを使用したことを特徴とする。
【発明の効果】
【０００９】
請求項１に記載の発明は上記の通りであり、投入口から紙葉類が投入されたことを検知する検知部と、前記検知部が紙葉類を検知したときに作動する持ち上げ機構と、前記持ち上げ機構によって上方に持ち上げられた後に落下する裁断片と、を備えている。よって、投入口から紙葉類が投入されると、持ち上げ機構によって裁断片が上方に持ち上げられて落下する。そして、前記箱体には、前記裁断片が落下する様子を目視可能にした窓部が設けられているので、上記した裁断片の落下が紙葉類投入と同時に目視される。このような構成によれば、あたかも投入した紙葉類がシュレッダーにかけられて裁断されたかのように見えるので、使用者に驚きを与えることができる。特に、紙葉類として紙幣を使用した場合には、紙幣が裁断されたかのように見えるため、使用者に大きな驚きを与えることができる。
【００１０】
また、請求項２に記載の発明は上記の通りであり、前記持ち上げ機構としてベルトコンベアを使用したので、持ち上げ機構により間断なく裁断片を持ち上げて落下させることができる。また、持ち上げ機構が前回の作動時にどのようなタイミングで停止した場合であっても、次回の紙葉類の投入時にタイムラグを生じることなく裁断片を落下させることができる。よって、シュレッダーを偽装した動作がスムーズに行われ、シュレッダー動作に違和感が生じないので、使用者を視覚的に欺くことができる。
【図面の簡単な説明】
【００１１】
【図１】（ａ）シュレッダー玩具の平面図、（ｂ）シュレッダー玩具の正面図、（ｃ）シュレッダー玩具の右側面図である。
【図２】シュレッダー玩具の内部構造を示す説明図（斜視図）である。
【図３】シュレッダー玩具の内部構造を示す説明図（左側面図）である。
【図４】裁断片が落下する様子を示す図である。
【発明を実施するための形態】
【００１２】
本発明の実施形態について、図を参照しながら説明する。
【００１３】
本実施形態に係るシュレッダー玩具１０は、投入した紙葉類５０があたかもシュレッダーにかけられて裁断されたかのように見せる玩具である。本実施形態に係るシュレッダー玩具１０は、貯金箱の形態をしており、紙葉類５０として紙幣を投入可能となっている。このシュレッダー玩具１０は、図１及び図２に示すように、紙葉類５０の投入口１１ａを備えた箱体１１と、箱体１１に内蔵されたモータ１５と、モータ１５によって作動する歯車機構１６と、投入口１１ａから紙葉類５０が投入されたことを検知する検知部１７と、検知部１７が紙葉類５０を検知したときに作動する送り機構２０及び持ち上げ機構３０と、シュレッダーに裁断された紙を模した裁断片４５と、を備える。
【００１４】
箱体１１は、図１に示すような直方体形状であり、上面には紙葉類５０を投入するための投入口１１ａが開口形成されている。本実施形態に係る投入口１１ａは、紙幣の幅とほぼ同程度の幅を有するスリット状に形成されている。
【００１５】
箱体１１の内部には、図３に示すように、前側に裁断片収容室４１が設けられ、後側に貯留部１３が設けられている。裁断片収容室４１と貯留部１３とは互いに閉塞した空間として設けられており、両者の間の隔壁は前記した投入口１１ａのほぼ真下に設けられている。
【００１６】
また、箱体１１の前面には、裁断片収容室４１の内部を目視可能にする窓部１１ｂが開口形成されている。窓部１１ｂの内側には透明板１２が配置されており、裁断片収容室４１の内部を目視できるようになっている。
【００１７】
裁断片収容室４１は、裁断片４５を収容するための空間である。この裁断片収容室４１は閉塞された空間であり、収容した裁断片４５の出し入れはできないようになっている。この裁断片収容室４１は、略垂直に設けられた遮蔽壁４０によって前室４１ａと後室４１ｂとに仕切られている。遮蔽壁４０は裁断片収容室４１の上下方向の中間部に設けられており、前室４１ａと後室４１ｂとは、遮蔽壁４０の上方及び下方において連通している。
【００１８】
前室４１ａは、遮蔽壁４０の前方に配置されて窓部１１ｂに臨む空間であり、裁断片４５を収容している。裁断片４５は、前室４１ａの内部で所定の高さに積層された状態となっており、図１（ｂ）に示すように、積層された裁断片４５は窓部１１ｂを通して外部から視認できるようになっている。
【００１９】
後室４１ｂは、遮蔽壁４０の後方に配置された空間であり、後述する持ち上げ機構３０を収容する空間である。なお、前述した遮蔽壁４０は不透明に形成されているため、図４に示すように、遮蔽壁４０が視線を遮ることで持ち上げ機構３０が窓部１１ｂを通して外部から視認できないようになっている。
【００２０】
貯留部１３は、図３に示すように、紙葉類５０を貯留するための空間である。投入口１１ａから投入された紙葉類５０は、この貯留部１３へと送られて落下し、貯留部１３内に貯留されていく。この貯留部１３は前後左右を不透明な壁で覆われており、外部から貯留部１３内を視認できないようになっている。なお、特に図示しないが、この貯留部１３には開閉式の取り出し口が設けられており、この取り出し口から貯留部１３内に貯留した紙葉類５０を取り出すことができるようになっている。
【００２１】
モータ１５は、箱体１１に内蔵されて後述する送り機構２０及び持ち上げ機構３０を駆動するものである。特に図示しないが、箱体１１には乾電池が内蔵されており、モータ１５はこの乾電池を動力源として作動する。
歯車機構１６は、モータ１５の出力軸に接続されており、この歯車機構１６を介してモータ１５の動力が送り機構２０及び持ち上げ機構３０に伝達される。
【００２２】
検知部１７は、投入口１１ａの内側に設けられて紙葉類５０が投入されたことを検知するためのものである。本実施形態においては検知部１７として揺動スイッチが用いられている。揺動スイッチは、投入口１１ａから紙葉類５０が投入されたときに紙葉類５０の先端部に揺動させられて接点がオンになるように配置されている。接点がオンになることで紙葉類５０の投入が検知される。
【００２３】
検知部１７が紙葉類５０を検知すると、モータ１５が所定時間だけ作動する。具体的には、検知部１７が紙葉類５０を検知したときに、検知信号を制御回路に出力し、検知信号を受け取った制御回路がモータ１５を所定時間作動させるように制御する。このとき、モータ１５を作動させる時間は、紙葉類５０が完全に投入口１１ａを通過するまでの時間を基に設定すればよい。例えば、紙葉類５０として紙幣を使用する場合、検知部１７が紙幣の投入を検知してから紙幣が完全に投入口１１ａを通過するまでの時間が仮に２秒だとすると、この２秒を基準にやや余裕を持たせた時間（２〜３秒程度）を、モータ１５を作動させる時間として設定すればよい。
【００２４】
なお、上記した実施形態においては検知部１７として揺動スイッチを使用しているが、これに限らず、他の方法で紙葉類５０が投入されたことを検知するようにしてもよい。例えば近接センサなどの非接触型のセンサを検知部１７として使用してもよい。
【００２５】
送り機構２０は、投入口１１ａから投入された紙葉類５０をスムーズに送るための機構である。本実施形態に係る送り機構２０は、図２に示すように、送りローラ２１と、送りベルト２２と、フリーローラ２３と、を備えている。
【００２６】
送りベルト２２は、歯車機構１６を構成するギアに接続されており、モータ１５の動力を送りローラ２１に伝達するためのものである。モータ１５が回転すると送りローラ２１が同時に回転を始めるようになっている。
【００２７】
フリーローラ２３は、送りローラ２１による送り動作をスムーズにするために回転自在に設けられたローラである。送りローラ２１及びフリーローラ２３は、投入口１１ａの下方に配置されており、図３に示すように、投入口１１ａから紙葉類５０を投入したときに紙葉類５０の先端を巻き込みながら貯留部１３へと紙葉類５０を送るように作用する。
【００２８】
持ち上げ機構３０は、裁断片４５を上方に持ち上げた後に落下させるための機構である。本実施形態に係る持ち上げ機構３０は、図２に示すようなベルトコンベアで形成されている。この持ち上げ機構３０は、歯車機構１６に接続されて回転する上部軸３１と、上部軸３１の垂直下方に設けられた下部軸３２と、上部軸３１及び下部軸３２に掛け回されたベルト３３と、を備えている。ベルト３３の表面には、図２に示すような複数の突起３３ａが所定間隔で設けられており、この突起３３ａにより裁断片４５が巻き込まれて持ち上げられるようになっている。モータ１５が回転すると、上部軸３１が回転し、図４に示すように、後方に裁断片４５を巻き込むようにベルト３３が作動する。なお、上部軸３１は遮蔽壁４０の上端よりも上方に配置され、下部軸３２は遮蔽壁４０の下端よりも下方に配置されている。このため、遮蔽壁４０の下方から前室４１ａに積層された裁断片４５を取り込むとともに、遮蔽壁４０の上方から前室４１ａの方へ裁断片４５を落下させるように形成されている。
【００２９】
なお、本実施形態においては持ち上げ機構３０としてベルトコンベアを用いたが、これに限らず、他の機構を使用してもよい。例えば上下往復運動により裁断片４５を上方に持ち上げた後に落下させるような機構を使用してもよい。
【００３０】
裁断片４５は、シュレッダーに裁断された紙を模した紙屑であり、裁断片収容室４１に収容されている。裁断片４５は、投入口１１ａから投入された紙葉類５０がシュレッダーにかけられたかのように偽装するためのものであるから、紙葉類５０と同じような色合いや紙質であることが望ましい。本実施形態においては、紙葉類５０として紙幣を想定しているため、紙幣に近い色合いや紙質の裁断片４５を使用している。この裁断片４５は、図４に示すように、裁断片収容室４１の前室４１ａに積層されて窓部１１ｂから見える程度の量となっている。
【００３１】
上記したシュレッダー玩具１０は以下のように作動する。
まず、図３に示すように、箱体１１の投入口１１ａから紙葉類５０を投入する。紙葉類５０を押し込むと、紙葉類５０の先端が検知部１７に接触して検知部１７を押動する。これによりモータ１５が回転を開始する。モータ１５が回転を開始すると、送り機構２０が作動を開始し、紙葉類５０を下方へと送る。これにより紙葉類５０が貯留部１３へと吸い込まれていく。送り機構２０が作動を開始すると同時に、持ち上げ機構３０も作動を開始する。持ち上げ機構３０は、図４に示すように、持ち上げた裁断片４５を前室４１ａに落下させる。このため、投入口１１ａから投入された紙葉類５０が裁断されて落下しているような錯覚が生じるようになっている。
【００３２】
なお、前室４１ａの底部４１ｃは後室４１ｂに向けて下方に傾斜している。このため、前室４１ａに積層した裁断片４５は後室４１ｂ側へと流れるようになっている。後室４１ｂ側へと流れた裁断片４５は、ベルト３３の突起３３ａによって絡め取られ、後室４１ｂの背面に沿って上方へと持ち上げられる。上方へと持ち上げられた裁断片４５は、最頂部を超えたあたりで前室４１ａ側へと落下する。このようにエンドレスで裁断片４５が上昇と落下を繰り返すようになっている。しかしながら、使用者には、持ち上げ機構３０が見えず、裁断片４５が後室４１ｂ側へと流れる仕組みも見えないので、新たな裁断片４５が次々と落下してきているように見える。
【００３３】
以上説明したように、本実施形態によれば、投入口１１ａから紙葉類５０が投入されたことを検知する検知部１７と、前記検知部１７が紙葉類５０を検知したときに作動する持ち上げ機構３０と、前記持ち上げ機構３０によって上方に持ち上げられた後に落下する裁断片４５と、を備えている。よって、投入口１１ａから紙葉類５０が投入されると、持ち上げ機構３０によって裁断片４５が上方に持ち上げられて落下する。そして、前記箱体１１には、前記裁断片４５が落下する様子を目視可能にした窓部１１ｂが設けられているので、上記した裁断片４５の落下が紙葉類５０投入と同時に目視される。このような構成によれば、あたかも投入した紙葉類５０がシュレッダーにかけられて裁断されたかのように見えるので、使用者に驚きを与えることができる。特に、紙葉類５０として紙幣を使用した場合には、紙幣が裁断されたかのように見えるため、使用者に大きな驚きを与えることができる。
【００３４】
また、前記持ち上げ機構３０としてベルトコンベアを使用したので、持ち上げ機構３０により間断なく裁断片４５を持ち上げて落下させることができる。また、持ち上げ機構３０が前回の作動時にどのようなタイミングで停止した場合であっても、次回の紙葉類５０の投入時にタイムラグを生じることなく裁断片４５を落下させることができる。よって、シュレッダーを偽装した動作がスムーズに行われ、シュレッダー動作に違和感が生じないので、使用者を視覚的に欺くことができる。
【符号の説明】
【００３５】
１０  シュレッダー玩具
１１  箱体
１１ａ  投入口
１１ｂ  窓部
１２  透明板
１３  貯留部
１５  モータ
１６  歯車機構
１７  検知部
２０  送り機構
２１  送りローラ
２２  送りベルト
２３  フリーローラ
３０  持ち上げ機構
３１  上部軸
３２  下部軸
３３  ベルト
３３ａ  突起
４０  遮蔽壁
４１  裁断片収容室
４１ａ  前室
４１ｂ  後室
４１ｃ  底部
４５  裁断片
５０  紙葉類
【図１】
0006549938.tif 000002
【図２】
0006549938.tif 000003
【図３】
0006549938.tif 000004
【図４】
0006549938.tif 000005